(57)【要約】【課題】寝台に被検者を固定するベルトを、所望した位置で寝台に固定することができ、かつ、容易に天板へ着脱することができる医用画像撮像装置を提供する。【解決手段】寝台の天板２上面には、固定ベルト５の端部を固定するための溝４が備えられ、溝４は、開口幅が底面幅より小さい。固定ベルト５の端部には、スライダ６が備えられる。スライダ６のフック１０とばね部９は、所定方向に傾斜させると溝の開口を通過でき、傾斜させていない状態では溝の内部空間に係合する。これにより、溝４の開口上部からスライダ６を着脱できる。【選択図】図６
2012152465.tif 000002
【特許請求の範囲】
【請求項１】
被検体を搭載する寝台を有する医用画像撮像装置であって、
前記寝台は、被検体を搭載する天板と、当該天板上に被検体を固定するための固定ベルトとを備え、
前記天板上面には、固定ベルトの端部を固定するための溝が備えられ、当該溝は、開口幅が底面幅より小さく、
前記固定ベルトの前記端部には、該固定ベルトを前記溝に取り外し可能に固定するためのスライダが備えられ、
前記スライダは、所定方向に傾斜させると前記溝の開口を通過でき、傾斜させていない状態では前記溝の内部空間に係合するフックと、前記フックを前記所定方向に傾斜させない方向に付勢するばね部とを有することを特徴とする医用画像撮像装置。
【請求項２】
請求項１に記載の医用画像撮像装置において、前記スライダは、前記天板上面よりも上部に突出するヘッドを備え、前記ヘッドと前記天板上面との間の空間に挿入されて前記スライダが前記所定方向に傾斜するのを妨げるロック部材をさらに有することを特徴とする医用画像撮像装置。
【請求項３】
請求項２に記載の医用画像撮像装置において、前記ロック部材は、前記固定ベルトの前記端部に固定され、
前記スライダは、前記ヘッドと前記天板上面との間の空間に連通した貫通孔を備え、
前記固定ベルトは、前記貫通孔を貫通して配置され、前記固定ベルトを締めた際の張力により、前記ロック部材が、前記ヘッドと前記天板上面との間の空間に挿入されることを特徴とする医用画像撮像装置。
【請求項４】
請求項２に記載の医用画像撮像装置において、前記ロック部材は、前記ヘッドを中心に回転可能に取り付けられ、前記ロック部材を回転させることにより、前記ヘッドと前記天板上面との間の空間に挿入されることを特徴とする医用画像撮像装置。
【請求項５】
請求項４に記載の医用画像撮像装置において、前記ロック部材は、前記ヘッドを中心に回転するカム機構であることを特徴とする医用画像撮像装置。
【請求項６】
被検体を搭載する寝台を有する医用画像撮像装置であって、
前記寝台は、被検体を搭載する天板と、当該天板上に被検体を固定するための固定ベルトとを備え、
前記天板上面には、固定ベルトの端部を固定するための溝が備えられ、当該溝は、開口幅が底面幅より小さく、
前記固定ベルトの前記端部には、該固定ベルトを前記溝に取り外し可能に固定するためのスライダが備えられ、
前記スライダは、弾性のある板状部材をフック形状に湾曲させたばね部と、前記ばね部と並べて配置されたフックと、前記ばね部と前記フックの上部を連結するヘッド部とを有することを特徴とする医用画像撮像装置。
【請求項７】
請求項６に記載の医用画像撮像装置において、前記ヘッド部と前記ばね部との間には、貫通孔が設けられ、前記固定ベルトは、前記貫通孔を貫通していることを特徴とする医用画像撮像装置。
【請求項８】
請求項７に記載の医用画像撮像装置において、前記固定ベルトの先端には、ロック用の棒状部材が固定され、当該ロック用の棒状部材は、前記ヘッドと前記天板上面との間に挿入されることを特徴とする医用画像撮像装置。
【請求項９】
請求項６に記載の医用画像撮像装置において、前記ヘッド部には、前記ヘッド部を中心に回転するカム機構が備えられ、該カム機構は、前記ばね部とフック部とを前記溝に挿入した状態で、前記ヘッドを中心に回転することにより前記ヘッドと前記天板上面との間に挿入されることを特徴とする医用画像撮像装置。
【請求項１０】
上面に溝が備えられた寝台上に、被検体を固定するための固定ベルトであって、
ベルトと、該ベルトの端部に備えられたスライダとを有し、
前記スライダは、弾性のある板状部材をフック形状に湾曲させたばね部と、前記ばね部と並べて配置されたフックと、前記ばね部と前記フックの上部を連結するヘッド部とを有することを特徴とする固定ベルト。
【請求項１１】
請求項１０に記載の固定ベルトにおいて、前記ヘッド部と前記ばね部との間には、貫通孔が設けられ、前記ベルトは、前記貫通孔を貫通し、
前記ベルトの先端には、ロック用の棒状部材が固定され、当該ロック用の棒状部材は、前記ばね部とフック部とを前記溝に挿入した状態で、前記ヘッドと前記天板上面との間に挿入されることを特徴とする固定ベルト。
【請求項１２】
寝台に形成された溝と係合することにより、被検体用固定ベルトを着脱可能に固定するためのスライダであって、
弾性のある板状部材をフック形状に湾曲させたばね部と、前記ばね部と並べて配置されたフックと、前記ばね部と前記フックの上部を連結するヘッド部とを有することを特徴とするスライダ。
【発明の詳細な説明】
【技術分野】
【０００１】
本発明は、被検体を固定するためのベルトを備えた医用画像撮像装置に関する。
【背景技術】
【０００２】
磁気共鳴イメージング（以下、ＭＲＩ）装置や、Ｘ線ＣＴ装置等の医用画像撮像装置は、一般に、撮像装置本体と、被検体を搭載する寝台とを備えている。被検体の撮像部位は、撮像時に動かないように固定ベルトなどで寝台天板に固定される。
【０００３】
特許文献１には、固定ベルトの両端に小型の板状部材を取り付け、この板状部材を寝台天板の両側に設けた溝に挿入することにより固定する構成が開示されている。操作者は、固定ベルトの板状部材を溝端部から溝内に挿入し、所望の位置まで溝内を滑らせて移動させ、所望の位置で溝に設けた切り欠きに固定ベルトを係合させる。これにより、所望の位置で固定ベルトを天板に固定することができる。また、別部材の滑り止めを溝に挿入することにより、切り欠きのない位置で、板状部材を溝に固定することも可能である。
【先行技術文献】
【特許文献】
【０００４】
【特許文献１】特開平１０−５７３３５号公報
【発明の開示】
【発明が解決しようとする課題】
【０００５】
被検体の撮像部位は、位置および形状が様々であるため、寝台の固定ベルトは、撮像する部位に応じて様々な掛け方ができることが望まれる。また、被検体の天板への乗り降りを妨げないために、固定ベルトと天板との締結部が天板上に突出しない形状であることが望ましい。
【０００６】
特許文献１に開示されている構成は、撮像する部位に応じたベルトの掛け方をすることができ、溝の切り欠きに固定ベルトを係合させる使用態様は、天板に突起を生じさせることもない。しかし、固定ベルトの固定位置が溝の切り欠きの間隔単位でしか選択できず、完全に所望の位置とはならない。一方、滑り止めを溝に挿入して板状部材を固定する使用態様であれば、完全に所望の位置で固定ベルトを溝に固定することが可能であるが、滑り止めを溝に着脱する工数が増えるとともに、滑り止めが天板上に突出する。
【０００７】
また、特許文献１の構成では、溝の端部から板状部材を溝内に挿入しなくてはならないので、固定ベルトを被検体に装着する際も取り外す際も、固定ベルトを溝の端部までスライドさせなければならず、着脱に手間どることがある。
【０００８】
本発明の目的は、寝台に被検者を固定するベルトを、所望した位置で、かつ、容易に天板へ着脱することができる医用画像撮像装置を提供することである。
【課題を解決するための手段】
【０００９】
前記課題を解決するために、本発明の第１の態様によれば以下のような医用画像撮像装置が提供される。すなわち、被検体を搭載する寝台を有する医用画像撮像装置であって、寝台は、被検体を搭載する天板と、天板上に被検体を固定するための固定ベルトとを備える。天板上面には、固定ベルトの端部を固定するための溝が備えられ、この溝は、開口幅が底面幅より小さい。固定ベルトの端部には、固定ベルトを溝に取り外し可能に固定するためのスライダが備えられている。スライダは、所定方向に傾斜させると溝の開口を通過でき、傾斜させていない状態では溝の内部空間に係合するフックと、このフックを所定方向に傾斜させない方向に付勢するばね部とを有する。
【００１０】
上記スライダは、例えば、天板上面よりも上部に突出するヘッドを備えてもよい。この場合、ヘッドと天板上面との間の空間に挿入されて、スライダが所定方向に傾斜するのを妨げるロック部材をさらに配置することができる。
【００１１】
上記ロック部材は、例えば、固定ベルトの端部に固定される構成とすることができる。この場合、スライダは、ヘッドと天板上面との間の空間に連通した貫通孔を備える構成とし、固定ベルトは、貫通孔を貫通して配置され、固定ベルトを締めた際の張力により、ロック部材が、ヘッドと天板上面との間の空間に挿入される構成とすることができる。
【００１２】
上記ロック部材は、例えば、ヘッドを中心に回転可能に取り付けられ、ロック部材を回転させることにより、ヘッドと天板上面との間の空間に挿入される構成にすることも可能である。一例としては、ロック部材としては、ヘッドを中心に回転するカム機構を用いることができる。
【００１３】
また、本発明の第２の態様によれば、以下のような医用画像撮像装置が提供される。すなわち、被検体を搭載する寝台を有する医用画像撮像装置であって、寝台は、被検体を搭載する天板と、天板上に被検体を固定するための固定ベルトとを備える。天板上面には、固定ベルトの端部を固定するための溝が備えられ、溝は、開口幅が底面幅より小さい。固定ベルトの端部には、固定ベルトを溝に取り外し可能に固定するためのスライダが備えられている。スライダは、弾性のある板状部材をフック形状に湾曲させたばね部と、ばね部と並べて配置されたフックと、ばね部とフックの上部を連結するヘッド部とを有する。
【００１４】
上記ヘッド部とばね部との間に、貫通孔を設け、固定ベルトを貫通させる構成としてもよい。固定ベルトの先端には、ロック用の棒状部材を固定することができる。ロック用の棒状部材は、ヘッドと天板上面との間に挿入される。
【００１５】
ヘッド部には、ヘッド部を中心に回転するカム機構を備えてもよい。カム機構は、ばね部とフック部とを溝に挿入した状態で、ヘッドを中心に回転することによりヘッドと天板上面との間に挿入される。
【００１６】
また、本発明の第３の態様によれば、以下のような固定ベルトが提供される。すなわち、上面に溝が備えられた寝台上に、被検体を固定するための固定ベルトであって、ベルトと、ベルトの端部に備えられたスライダとを有する。スライダは、弾性のある板状部材をフック形状に湾曲させたばね部と、ばね部と並べて配置されたフックと、ばね部と前記フックの上部を連結するヘッド部とを有する。
【００１７】
本発明の第４の態様によれば、以下のようなスライダが提供される。すなわち、寝台に形成された溝と係合することにより、被検体用固定ベルトを着脱可能に固定するためのスライダであって、弾性のある板状部材をフック形状に湾曲させたばね部と、ばね部と並べて配置されたフックと、ばね部とフックの上部を連結するヘッド部とを有する。
【発明の効果】
【００１８】
本発明によれば、スライダを溝の開口上部から溝内に挿入することができるため、溝の端部までスライダを移動させることなく、溝の所望の位置にスライダを着脱することができる。また、スライダのばね部の付勢によりスライダを溝内に固定することができる。
【図面の簡単な説明】
【００１９】
【図１】本実施形態のＭＲＩ装置の全体構成を示すブロック図。
【図２】本実施形態のＭＲＩ装置のガントリ１００および寝台１の斜視図。
【図３】本実施形態の天板２の溝４の断面図。
【図４】図３の溝４に挿入した状態の本実施形態のスライダ６の側面図。
【図５】図４のスライダ６の斜視図。
【図６】図３の溝４に挿入した状態の本実施形態のスライダ６の断面図。
【図７】図６の状態から、スライダ６を溝から取り出す状態を示す断面図。
【図８】（ａ）および（ｂ）太さの異なる被検体１０２を一対の固定ベルトで固定した状態を示す断面図。
【図９】（ａ）二組の固定ベルトを平行に配置して被検体１０２を固定した状態を示す斜視図、（ｂ）二組の固定ベルトを交差させて配置して被検体１０２を固定した状態を示す斜視図。
【図１０】第２の実施形態の溝４の断面図。
【図１１】第３の実施形態のスライダ４を溝に挿入した状態の断面図。
【発明を実施するための最良の形態】
【００２０】
本発明の一実施形態の寝台を備えた医用画像撮像装置について説明する。本実施形態では、医用画像撮像装置がＭＲＩ装置である場合について説明するが、Ｘ線ＣＴ装置やディジタルＸ線透視装置のように、寝台に被検体を固定する他の医用画像撮像装置についても同様に適用できる。
【００２１】
（ＭＲＩ装置の構成）
まず、図１および図２を用いて本実施形態のＭＲＩ装置の全体構成について説明する。図１は、ＭＲＩ装置の全体構成の概要図である。このＭＲＩ装置は、ガントリ１００と、被検体１０２を搭載する寝台１とを備えている。ガントリ１００は、静磁場を発生する静磁場発生装置１０１を有し、その内側には、傾斜磁場コイル１１１、高周波（ＲＦ）コイル１１３およびシム１１０が配置されている。傾斜磁場コイル１１１には、電流を供給する傾斜磁場パワーアンプ１１２が接続され、ＲＦコイル１１３には、高周波電力を供給する高周波パワーアンプ１１４が接続されている。被検体１０２の撮像部位近傍には受信コイル１１５が装着されている。受信コイル１１５には、検出信号を増幅等する高周波増幅回路１１６が接続されている。傾斜磁場パワーアンプ１１２、高周波パワーアンプ１１４および高周波増幅回路１１６には、コンピュータ１１７が接続され、これらの動作を制御するとともに、受信コイル１１５の検出信号を信号処理し画像再構成を行う。コンピュータ１１７には、ディスプレイ１１８が接続され、再構成画像の表示および撮像条件の受付画面の表示等を行う。
【００２２】
ガントリ１００の静磁場発生装置１０１は、軸方向を水平にした円筒状であり、円筒の内部空間が撮影空間１０３となる。静磁場発生装置１０１は、撮影空間１０３に静磁場を形成する。シム１１０は、その磁場均一度を所定値以下にするための磁場を発生する。傾斜磁場コイル１１１は、互いに直交する３軸方向にそれぞれ勾配した磁場を撮像空間１０３に生じさせる。高周波コイル１１３は、被検体１０２の撮像部位に所定周波数の高周波磁界を照射し、撮像部位の核スピンに核磁気共鳴（ＮＭＲ）を生じさせる。受信コイル１１５は、被検体１０２からのＮＭＲ信号を検出し、高周波増幅回路１１６が増幅等した信号をコンピュータ１１７が処理することにより、画像再構成を行う。
【００２３】
寝台１は、被検体１０２を搭載する天板２と、天板２をスライドさせる駆動部を内蔵した本体３とを備えている。寝台１は、天板２をスライドさせることにより、被検体１０２の撮像部位を撮影空間１０３の中心に搬送する。
【００２４】
（第１の実施形態）
寝台１の天板２には、被検体１０２の撮像部位を固定ベルトで固定するための構造が備えられている。以下、これらの構造について説明する。
【００２５】
図２のように、天板２の上面の両端部にはそれぞれ、長手方向に平行に溝４が形成されている。図２の溝４のＡ−Ａ’断面図を図３に示す。図３のように、溝４の底面部の幅ＷBは、開口部の幅ＷAよりも広くなるように形成されている。一例としては、ＷBは２０ｍｍ弱、ＷAはＷBの半分程度、溝４の深さは、ＷBの１／３程度にすることができる。
【００２６】
一方、図２のように、被検体１０２を天板２に固定する固定ベルト５は、固定ベルト５の端部を天板２の溝４に挿入して固定するための係合機構を有する。
【００２７】
図４〜図６を用いて固定ベルト５の係合機構を説明する。係合機構は、固定ベルト５の端部に挿入された図５の形状のスライダ６と、固定ベルト５の端部に固定されたロック用棒状部材７とを備えている。
【００２８】
スライダ６は、固定ベルト５の幅と同程度の幅を有するヘッド８と、ヘッド８の下部に配置され、フック形状に湾曲した板状ばねであるスプリング９と、スプリング９の両脇に配置された一対のフック１０とを備える。ヘッド８とスプリング９とフック１０は、連結部１１により連結されている。ヘッド８とスプリング９との間には、固定ベルト５が貫通する開口１２が設けられている。
【００２９】
本実施形態では、ヘッド８とスプリング９とフック１０と連結部１１とを、同一素材により一体に形成している。素材としては、ヘッド８とフック１０と連結部１１として必要な剛性と、スプリング９として必要な弾性と、溝４に沿ってスライド可能な適度な滑り性を同時に実現できる材料であればよく、例えば、ポリアセタール樹脂やポリアミド樹脂等の樹脂を用いることができる。また、スライダ６は、必ずしも同一素材により一体に形成しなくてもよく、スプリング９以外の部分をアルミ等の非磁性金属で、スプリング９を弾性樹脂により形成することも可能である。
【００３０】
ロック用棒状部材７は、長さが固定ベルト５の幅と同等であり、太さ（厚み）は、抜け落ち防止のためにスライダ６の開口１２の幅（ｚ軸方向）よりも大きい。また、ロック用棒状部材７は、中心軸を固定ベルト５の幅方向に一致させて固定ベルト５に強固に固定されている。
【００３１】
また、ロック用棒状部材７は、固定ベルト５を引き締める動作により、スライダ６のヘッド８と天板２の上面との間の空間に嵌合し、スライダ６を溝４に固定するロック機構として作用する。
【００３２】
ロック用棒状部材７の素材は、大きく変形しない材料であればよく、例えば樹脂や非磁性金属を用いることができる。固定ベルト５の端部に固定する方法としては、各種方法を用いることができる。例えば、ベルトの端部をロック用棒状部材７の外周に巻きつけて縫合する方法を用いることができる。固定ベルト５とロック用棒状部材７とを樹脂等により一体に形成することも可能である。
【００３３】
スライダ６の詳しい形状についてさらに説明する。
【００３４】
フック１０およびスプリング９の形状は、図７のように、スライダ６の中心軸（ｚ軸）６１を天板２の法線に対して、フック１０の先端方向に向かって（図７の矢印７１の向き）傾斜させると、フック１０およびスプリング９を溝４内に挿入できる形状に設計されている。しかも、図６のようにスライダ６の中心軸６１を傾斜させずに天板２の法線に一致させた状態では、スライダ６を上方向に引っ張っても、フック１０およびスプリング９が溝４から抜け出ない形状に設計されている。具体的には、フック１０およびスプリング９の溝幅方向（ｙ方向）の最大長さが、溝４の開口の幅ＷAよりも大きく、底面部の幅ＷBよりも小さく設計されている。これにより、スライダ６は、フック１０の先端方向（矢印７１の向き）とは逆向きに傾斜させようとしても、フック１０の先端が溝４に引っ掛かって傾斜しない。
【００３５】
スプリング９は、溝４の底面に押しつけられることにより、中心軸（ｚ軸）に沿ってフック１０を上方に押し上げるように付勢する。この付勢によりフック１０は、溝４の開口周囲の内壁に押しつけられるため、スライダ６の傾斜が妨げられ、スライダ６が上方に引っ張られても溝４から抜け出ない姿勢を維持（固定）することができる。
【００３６】
図４および図６のように、ヘッド８の中心軸２１の位置は、溝幅方向（ｙ軸方向）について、スライダ６の中心軸６１よりもフック１０の先端側に所定量オフセットされている。これにより、図６のようにスライダ６の中心軸６１を天板２の法線に一致させると、天板２の上面とヘッド８との間に空間が形成される。ロック用棒状部材７の太さ（厚み）は、この空間に嵌合可能な大きさに設定されている。固定ベルト５が引っ張られると、その張力によりロック用棒状部材７はヘッド８と天板２との間の空間に挿入される。よって、スライダ６の中心軸６１の傾斜がロック用部材７により妨げられ、スライダ６は溝４へ固定（ロック）される。
【００３７】
つぎに、被検体１０２を固定ベルトを用いて固定する際の各部の作用についてさらに説明する。
【００３８】
図８（ａ），（ｂ）のように、固定ベルト５は、所定の幅および長さを有し、素材は布、樹脂および皮革等、所望のものを用いることができる。固定ベルト５は、２本で一対であり、それぞれの一端は被検体１０２の両側で溝４に固定され、他端が被検体１０２上で連結具６２（面ファスナーやバックル）によって互いに連結される。これにより被検体１０２を天板２に固定する。
【００３９】
固定ベルト５の溝４に固定される側の端部には、固定ベルト５にロック用棒状部材７が固定され、かつ、スライダ６が挿入されている。他端には、図８（ａ），（ｂ）のように、所望の位置で互いを連結するための連結具６２が備えられている。
【００４０】
スライダ６は、傾斜させることにより溝４の所望の位置に、溝４の上面開口からフック１０およびスプリング９を挿入することができる。よって、操作者は、溝４の固定ベルト５を取り付けたい位置で、溝４の開口上部からスライダ６を溝４内に挿入する。これにより、スプリング９が溝４の底面に当たり、そのばね力により、フック１０を上方へ押し上げて溝４の内壁に押し付ける。この作用により、スライダ６は溝４に固定され、固定ベルト５を上方に引っ張っても、スライダ６は溝４から抜け出ない。
【００４１】
この状態では、スプリング９のばね力によりフック１０が溝４の内壁に押し付ける力のみでスライダ６が固定されているので、内壁とフック１０との間に生じる摩擦力に抗して、操作者がスライダ６を溝４に沿ってスライドさせることが可能であり、操作者は位置を調節することができる。この状態では、スライダ６が図７の矢印７１の向きに傾斜するとスライダ６が溝４から外れる。
【００４２】
次に、操作者が被検体１０２の左右から、一対の固定ベルト５を引っ張って、図８（ａ），（ｂ）のように被検体１０２の大きさに合わせて中央で固定ベルト５を連結具６２により連結すると、固定ベルト５は、図６の矢印の向きに引っ張られ、その張力によりロック用棒状部材７がヘッド８と天板２との間に挿入される。これにより、スライダ６は図７の矢印７１の向きには傾斜できなくなるため、スライダ６が溝４から抜け出ることはできず、スライダ６の位置は固定（ロック）される。すなわち、被検体１０２に固定ベルト５を締める動作により、スライダ６を固定（ロック）することできる。
【００４３】
ロックされた状態で被検体１０２が左右に動き、スライダ６の上に乗りかかるようになったとしても、スライダ６が天板２上に突出している高さ（ｚ軸）は、わずか１０ｍｍ程度であり、かつ、スライダ６のヘッド８および連結部１１の上部は丸みを持っているため、被検体１０２に痛みや違和感を与えない。また、被検体がスライダ６の上に乗りかかるようになった場合には、固定ベルト５の端部が強く引っ張られるため、ロック用棒状部材７は、ますますヘッド８と天板２との間の空間に強く入り込む。よって、スライダ６が矢印７１の方向に傾斜することはできず、スライダ６が溝４から外れることはない。
【００４４】
一方、被検体１０２から固定ベルト４を外す場合には、操作者は、まず固定ベルト５の連結具６２を外す。これにより、固定ベルト５にかかっている張力がなくなるため、操作者は図７の矢印７１の方向にスライダ６を簡単に傾斜させることができる。この動作により図７のようにロック用棒状部材７はヘッド８と天板２との間の空間から押し出され、スライダ６を溝４から取り外すことができる。
【００４５】
このように、本実施形態の固定ベルト５のスライダ６を用いることにより、天板９の溝４の任意の位置で、溝４の開口にスライダ６を挿入して、スライダ６を天板に固定することができる。また、スライダ６を傾斜させることにより、溝４の開口から上方にスライダ６を取り外すことができる。よって、着脱時に溝４の端部までスライダ６を移動させる必要がなく、スライダ６を固定するための治具等を別途挿入する必要もなく、簡単に短時間で被検体１０２の撮像部位に固定ベルト５を取り付けることができる。
【００４６】
また、スライダ６を溝４の任意の位置に固定できるため、被検体１０２の撮像部位の位置に応じて、固定ベルト５をミリ単位で移動させて、所望の位置に配置できる。よって、図９（ａ）、（ｂ）等のように、所望の位置で、所望の掛け方で固定ベルト５を掛けて被検体１０２の撮像部位を固定することができる。
【００４７】
さらに、固定ベルト５を被検体１０２に締める動作により、ロック用棒状部材７をスライダ６と係合させてロックすることができる。よって、ロックをかけるための特別な動作が不要である。また、被検体１０２が左右に動いた場合であっても、固定ベルト５が引っ張られてさらに強くロック用棒状部材７がスライダ６に挿入されるため、スライダ６が外れない。
【００４８】
スライダ６の幅（ｘ軸）は、固定ベルト５の幅にフック１０の幅分だけ両側に張り出しただけであるため、複数組の固定ベルト５を図９（ａ），（ｂ）のように固定する場合、複数のスライダ６を近接配置することが可能であり、複数組の固定ベルト５を近接して配置できる。
【００４９】
なお、本実施形態では、スプリング９の幅（ｘ軸）を固定ベルト５と同等としているため、固定ベルト５の両側にフック１０が張り出す構成であるが、スプリング９の幅を狭くすることにより、スライダ６の全体の幅を狭めることも可能である。
【００５０】
また、本実施形態ではスプリング９の両側にフック１０を配置した構成であるが、この構成に限定されるものではなく、フック１０を中央に配置し、その両側にスプリングを配置する構成にすることも可能である。
【００５１】
（第２の実施形態）
第２の実施形態では、溝４の内壁面の形状が第１の実施形態と異なる。第１の実施形態では、図３のように、溝４の内側面を傾斜させた形状であったが、第２の実施形態では、図１０に示すように、溝４の内壁側面を天板２に垂直にする。
【００５２】
本実施形態においても、第１の実施形態と同様に溝４の底面部の幅ＷBよりも開口部の幅ＷAが狭くなるように設計する。これにより、図１０のように、第１の実施形態と同様に、スライダ６を溝４に固定することができる。すなわち、スライダ６を挿入すると、スプリング９が溝４の底面に押し付けられてフック１０を押し上げるように付勢し、フック１０が溝４の開口周辺の内壁に引っかかることによりスライダ６が固定される。
【００５３】
また、スライダ６を傾斜させることにより、溝４から取り外すことができる。
【００５４】
他の構成および作用効果は、第１の実施形態と同様であるので説明を省略する。
【００５５】
（第３の実施形態）
図１１に第３の実施形態のスライダ６を示す。第３の実施形態のスライダ６は、第１の実施形態のロック用棒状部材７の代わりに、ロック用カム機構５１をスライダ６と一体に備えている。
【００５６】
ロック用カム機構５１は、図１１のように先端が凸形状５１ａであり、基部がスライダ６のヘッド８の周りを回転する。このカム機構５１の回転軸は、ヘッド８の中心軸と同軸である。また、ロック用カム機構５１の基部５１ｂには、固定ベルト５の一端が固定されている。
【００５７】
第３の実施形態のスライダ６は、傾斜させて溝４に挿入した後、操作者がロック用カム機構５１を図１１の矢印５３の方向に回転させることにより、先端の凸形状５１ａをヘッド２１と天板２の間に挿入し、スライダ６をロックすることができる。
【００５８】
また、操作者がロック用カム機構５１を矢印５３とは逆方向に回転させることにより、先端の凸形状５１ａをヘッド２１と天板２との間から外すことができ、ロックを解除できる。これにより、スライダ６を傾斜させて溝４から取り出すことができる。
【００５９】
また、ロック用カム機構５１には、固定ベルト５の端部が固定されているので、ロック用カム機構５１の回転に固定ベルト５の張力を利用することができる。
【００６０】
他の構成は、第１の実施形態と同様であるので説明を省略する。
【符号の説明】
【００６１】
１：寝台、２：天板、３：本体、４：溝、５：固定ベルト、６：スライダ、７：ロック用棒状部材、８：ヘッド、９：スプリング、１０：フック、１１：開口、６１：中心軸、２１：中心軸、５１：ロック用カム機構、６２：連結具、１００：ガントリ、１０１：静磁場発生装置、１０２：被検体、１０３：撮像空間、１１０：シム、１１１：傾斜磁場コイル、１１３：高周波コイル、１１５：重心コイル、１１７：コンピュータ、１１８：表示装置
【図１】
2012152465.tif 000003
【図２】
2012152465.tif 000004
【図３】
2012152465.tif 000005
【図４】
2012152465.tif 000006
【図５】
2012152465.tif 000007
【図６】
2012152465.tif 000008
【図７】
2012152465.tif 000009
【図８】
2012152465.tif 000010
【図９】
2012152465.tif 000011
【図１０】
2012152465.tif 000012
【図１１】
2012152465.tif 000013